(57)【要約】【課題】ＬＥＤの発光により、グラスに入った飲み物を視覚的に楽しむだけでなく、ＬＥＤの発光のパターンに変化を持たせることにより娯楽性を向上させたマドラーを提供することである。【解決手段】本体２の一端にスイッチ８を有するボックス部３が設けられ、前記本体２に内蔵された基板５にＬＥＤ４が一定の間隔で配置され、ボックス部３にＬＥＤ４の発光を制御する制御部６が内蔵され、スイッチ８を入れた場合に、制御部６が基板５のそれぞれのＬＥＤ４を所定の順序で発光させ、ＬＥＤ４のうちいずれか一箇所のＬＥＤ４のみをランダムに選択し、この選択されたＬＥＤのみを最後に発光させる処理を行う。【選択図】図１
0003110815.tif 000002
【実用新案登録請求の範囲】
【請求項１】
棒状の本体内にＬＥＤを配置した基板が収納され、前記本体の一端にスイッチを有するボックス部が設けられ、前記ボックス部に電池が収納され、前記スイッチを入れた場合に、前記ＬＥＤが発光するマドラーにおいて、前記基板に複数の前記ＬＥＤが所定の間隔をもって配置され、前記ボックス部に前記ＬＥＤの発光を制御する制御部が内蔵され、前記制御部は、それぞれの前記ＬＥＤを所定の順序で発光させた後、前記基板に配置された前記ＬＥＤのうちいずれか一箇所のＬＥＤをランダムに選択し、その選択されたＬＥＤのみを発光させる処理を行うことを特徴とするマドラー。
【請求項２】
前記スイッチの代わりに前記本体部にセンサー部を設けたことを特徴とする請求項１に記載のマドラー
【請求項３】
前記ＬＥＤがそれぞれ異なる色に発光することを特徴とする請求項１または請求項２に記載のマドラー。
【考案の詳細な説明】
【技術分野】
【０００１】
この考案は、グラスなどに注がれた数種類の飲み物をかき混ぜるためのマドラーに関するものである。
【背景技術】
【０００２】
グラスなどに注がれた洋酒の水割りやハイボール、その他ソフトドリンクなどをかき混ぜるためにマドラーが用いられている。これらの飲み物をかき混ぜる際に、マドラー自体を発光させ、その光をグラスや氷で乱反射させることにより、グラスに入った飲み物を視覚的に楽しむことができるマドラーが従来から知られている。
【０００３】
上記のマドラーは、図２に示すように、棒状の本体２１にＬＥＤ２２を配置した基板２３が内蔵され、前記本体２１の一端にスイッチ２４を有するボックス部２５が設けられ、このボックス部２５に電池２６が内蔵されたものである。ボックス部２５のスイッチ２４を入れると、本体２１に内蔵されたＬＥＤ２２が発光し、この光が本体２１を発光させる。発光した本体２１で飲み物をかき混ぜると本体２１からの光が飲み物や氷で乱反射し、グラスの外側へ美しい光のゆらぎが映し出されることにより、グラスに入った飲み物を視覚的に楽しむことができる（特開２００３−１６９７３７号公報参照）。
【考案の開示】
【考案が解決しようとする課題】
【０００４】
しかし、従来のマドラーはスイッチ２４を入れると単にＬＥＤ２２が発光するものである。その上、その発光のパターンは変化がなく単調なものである。このため、使用者だけでなく使用していない者も含めてこのマドラーに対する興味が半減し、視覚的な楽しみがなくなるという問題があった。
【０００５】
そこで、この考案は、ＬＥＤの発光により、グラスに入った飲み物を視覚的に楽しむだけでなく、ＬＥＤの発光のパターンに変化を持たせることにより娯楽性を向上させたマドラーを提供することを課題とする。
【課題を解決するための手段】
【０００６】
前記の課題を解決するために、この考案は、棒状の本体内にＬＥＤを配置した基板が収納され、前記本体の一端にスイッチを有するボックス部が設けられ、前記ボックス部に電池が収納され、前記スイッチを入れた場合に、前記ＬＥＤが発光するマドラーにおいて、前記基板に複数の前記ＬＥＤが所定の間隔をもって配置され、前記ボックス部に前記ＬＥＤの発光を制御する制御部が内蔵され、前記制御部は、前記ＬＥＤを所定の順序で発光させた後、前記基板に配置された前記ＬＥＤのうちいずれか一箇所のＬＥＤをランダムに選択し、その選択されたＬＥＤのみを発光させる処理を行う構成を採用した。
【０００７】
この構成によると、スイッチを入れた場合、制御部によりＬＥＤを所定の順序で発光させ、基板に所定の間隔をもって配置されたＬＥＤのうち、いずれか一箇所のＬＥＤをランダムに選択し、その選択されたＬＥＤのみを発光させる処理が行われる。これにより、スイッチを入れるごとに最後に発光するＬＥＤの位置がランダムに変化するため、前記ＬＥＤの発光パターンに変化を持たせることができる。
【０００８】
また、前記スイッチの代わりに前記本体にセンサー部を設ける構成を採用することで、センサー部によりＬＥＤの発光を開始させることができる。
【考案の効果】
【０００９】
以上のように、この考案のマドラーは、スイッチを押すごとに、制御部によりＬＥＤが所定の順序で発光し、最後に発光するＬＥＤの位置がランダムに変化するため、発光のパターンに変化を持たせることができる。これにより、ルーレットゲームのように楽しむことができ、娯楽性を向上させたものとなる。
【考案を実施するための最良の形態】
【００１０】
以下、この考案の実施形態を添付図面に基づいて説明する。
【００１１】
マドラー１は、図１に示すように、棒状の本体２とこの本体２の一端部に設けられるボックス部３とにより構成される。
【００１２】
前記本体２は、その形状が複数の球体を一直線に並べそれぞれを連結させた棒状であり、透明や乳白色などの光の透過性を有するプラスチックなどで形成される。この本体２内に複数のＬＥＤ４を所定の間隔をもって配置した基板５の大部分が収納される。
【００１３】
前記本体２の一端部に設けられるボックス部３は、その内部に前記本体２に収納された前記基板５の残部と、電源となる電池７とが収納されるものである。ボックス部３の側面には前記ＬＥＤ４の発光を開始するためのスイッチ８が設けられる。
【００１４】
複数の前記各ＬＥＤ４は、その発光色がすべて同一色でもよいが、それぞれが異なった色、例えば、赤、青、緑、黄、紫、ピンク、白やその他の色であってもよい。
【００１５】
前記ボックス部３に収納される基板５には、ＬＥＤ４の発光を制御する制御部６が配置され、ＬＥＤ４を発光させるための直流電流を供給する前記電池７が接続される。
【００１６】
基板５に配置される制御部６は、基板５に所定の間隔をもって配置された複数のＬＥＤ４の発光を制御するための処理を行うものである。すなわち、基板５に配置されたそれぞれのＬＥＤ４を所定の順序で（例えば、ボックス部３に最も近い位置のＬＥＤ４から遠い位置のものへと順次）発光させる。その後、基板５に配置されたＬＥＤ４のうちいずれか一箇所のＬＥＤ４をランダムに選択し、その選択されたＬＥＤ４のみを最後に発光させる処理を行うものである。
【００１７】
前記ボックス部３に設けられたスイッチ８は、これを押した場合に、前記電池７から直流電流が供給され前記制御部６の処理が開始されるものである。
【００１８】
前記本体２の他端部には飲み物の氷などをすくうスプーン９が本体２と一体に形成される。
【００１９】
なお、前記スイッチ８の代わりにセンサー部を本体２に設け、マドラーをグラスの中に入れた際に、前記センサー部が反応して制御部６の処理が開始されるようにしてもよい。
【００２０】
以上のように、マドラー１は構成されるものであり、以下にその使用方法を説明する。
【００２１】
まず、ボックス部３に設けられたスイッチ８を入れると、基板５に配置された制御部６により、前記ボックス部３に最も近い位置のＬＥＤ４から順次遠い位置のものへとルーレット方式で発光が開始される。このとき、前記ＬＥＤ４が基板５に所定の間隔をもって配置されているため、外部からは、本体２の上から下に光が移動するように見えることになる。その後、基板５に配置された複数のＬＥＤ４のうち、いずれか一箇所のＬＥＤ４のみが発光することにより、本体２のある位置で光が止まったように見える。しかも、スイッチ８を入れるごとに光の止まる位置が毎回変化するため、使用者はこのマドラーを用いてルーレットゲームを楽しむことができ、さらに本体２の発光によるグラスの外側への光のゆらぎを視覚的に楽しむことができる。このため、レストラン、スナック、バーなどの飲食店はもちろんのこと、結婚式場や各種パーティ会場で用いることができる。
【図面の簡単な説明】
【００２２】
【図１】実施形態のマドラーを示す一部断面斜視図
【図２】従来のマドラーを示す一部断面斜視図
【符号の説明】
【００２３】
１  マドラー
２  本体
３  ボックス部
４  ＬＥＤ
５  基板
６  制御部
７  電池
８  スイッチ
２１  本体
２２  ＬＥＤ
２３  基板
２４  スイッチ
２５  ボックス部
２６  電池
【図１】
0003110815.tif 000003
【図２】
0003110815.tif 000004